【手続補正書】
【提出日】平成17年11月29日(2005.11.29)
【手続補正１】
【補正対象書類名】明細書
【補正対象項目名】特許請求の範囲
【補正方法】変更
【補正の内容】
【特許請求の範囲】
【請求項１】  インキツボキーを複数備え、これらインキツボキーとインキツボローラとの間よりインキツボ内のインキをインキツボローラに供給し、このインキツボローラの回転によって供給されたインキを刷版へ供給し、この刷版に供給されたインキを印刷用紙に印刷する印刷機において、
前記インキツボキーの並設方向に沿ってその絵柄面積率がなだらかに変化する絵柄を備えた試験用刷版を用いて印刷物を印刷し、
この印刷物の前記各インキツボキーに対応する各エリアの濃度を測定し、
この測定した各エリアの濃度値と予め記憶されている基準濃度値との差に基づいてその差がほゞ零となるように前記各インキツボキーの開き量を調整し、
この調整した各インキツボキーの開き量を記憶し、
この記憶した各インキツボキーの開き量を基に以降の印刷における各インキツボキーの開き量の設定を行う
ようにしたことを特徴とする印刷機のインキ供給量調整方法。
【請求項２】  インキツボキーを複数備え、これらインキツボキーとインキツボローラとの間よりインキツボ内のインキをインキツボローラに供給し、このインキツボローラの回転によって供給されたインキを刷版へ供給し、この刷版に供給されたインキを印刷用紙に印刷する印刷機において、
前記インキツボキーの並設方向に沿ってその絵柄面積率がなだらかに変化する絵柄を備えた試験用刷版を用いて印刷された印刷物の前記各インキツボキーに対応する各エリアの濃度を測定する濃度測定手段と、
この濃度測定手段によって測定された各エリアの濃度値と予め記憶されている基準濃度値との差に基づいてその差がほゞ零となるように前記各インキツボキーの開き量を調整する調整手段と、
この調整手段によって調整された各インキツボキーの開き量を記憶する記憶手段と、
この記憶された各インキツボキーの開き量を基に以降の印刷における各インキツボキーの開き量の設定を行う設定手段と
を備えたことを特徴とする印刷機のインキ供給量調整装置。
【請求項３】  インキツボキーを複数備え、これらインキツボキーとインキツボローラとの間よりインキツボ内のインキをインキツボローラに供給し、このインキツボローラの回転によって供給されたインキを刷版へ供給し、この刷版に供給されたインキを印刷用紙に印刷する印刷機において、
前記インキツボキーの並設方向に沿ってその絵柄面積率がなだらかに変化する絵柄を備えた試験用刷版を用いて印刷物を印刷し、
この印刷物の前記各インキツボキーに対応する各エリアの濃度を測定し、
この測定した各エリアの濃度値と予め記憶されている基準濃度値との差に基づいてその差がほゞ零となるような前記各インキツボキーの開き量を求め、
この求めた各インキツボキーの開き量を記憶し、
この記憶した各インキツボキーの開き量を基に以降の印刷における各インキツボキーの開き量の設定を行う
ようにしたことを特徴とする印刷機のインキ供給量調整方法。
【請求項４】  インキツボキーを複数備え、これらインキツボキーとインキツボローラとの間よりインキツボ内のインキをインキツボローラに供給し、このインキツボローラの回転によって供給されたインキを刷版へ供給し、この刷版に供給されたインキを印刷用紙に印刷する印刷機において、
前記インキツボキーの並設方向に沿ってその絵柄面積率がなだらかに変化する絵柄を備えた試験用刷版を用いて印刷された印刷物の前記各インキツボキーに対応する各エリアの濃度を測定する濃度測定手段と、
この濃度測定手段によって測定された各エリアの濃度値と予め記憶されている基準濃度値との差に基づいてその差がほゞ零となるような前記各インキツボキーの開き量を求める手段と、
この手段によって求められた各インキツボキーの開き量を記憶する記憶手段と、
この記憶された各インキツボキーの開き量を基に以降の印刷における各インキツボキーの開き量の設定を行う設定手段と
を備えたことを特徴とする印刷機のインキ供給量調整装置。
【請求項５】  インキツボキーを複数備え、これらインキツボキーとインキツボローラとの間よりインキツボ内のインキをインキツボローラに供給し、このインキツボローラの回転によって供給されたインキを刷版へ供給し、この刷版に供給されたインキを印刷用紙に印刷する印刷機において、
前記インキツボキーの並設方向に沿ってその絵柄面積率がなだらかに変化する絵柄を備えた試験用刷版を用いて印刷物を印刷し、
この印刷物の前記各インキツボキーに対応する各エリアの濃度を測定し、
この測定した各エリアの濃度値と予め記憶されている基準濃度値との差に基づいてその差がほゞ零となるように前記各インキツボキーの開き量および前記インキツボローラの回転量を調整し、
この調整した各インキツボキーの開き量およびインキツボローラの回転量を記憶し、
この記憶した各インキツボキーの開き量およびインキツボローラの回転量を基に以降の印刷における各インキツボキーの開き量およびインキツボローラの回転量の設定を行う
ようにしたことを特徴とする印刷機のインキ供給量調整方法。
【請求項６】  インキツボキーを複数備え、これらインキツボキーとインキツボローラとの間よりインキツボ内のインキをインキツボローラに供給し、このインキツボローラの回転によって供給されたインキを刷版へ供給し、この刷版に供給されたインキを印刷用紙に印刷する印刷機において、
前記インキツボキーの並設方向に沿ってその絵柄面積率がなだらかに変化する絵柄を備えた試験用刷版を用いて印刷された印刷物の前記各インキツボキーに対応する各エリアの濃度を測定する濃度測定手段と、
この濃度測定手段によって測定された各エリアの濃度値と予め記憶されている基準濃度値との差に基づいてその差がほゞ零となるように前記各インキツボキーの開き量および前記インキツボローラの回転量を調整する調整手段と、
この調整手段によって調整された各インキツボキーの開き量およびインキツボローラの回転量を記憶する記憶手段と、
この記憶された各インキツボキーの開き量およびインキツボローラの回転量を基に以降の印刷における各インキツボキーの開き量およびインキツボローラの回転量の設定を行う設定手段と
を備えたことを特徴とする印刷機のインキ供給量調整装置。
【請求項７】  インキツボキーを複数備え、これらインキツボキーとインキツボローラとの間よりインキツボ内のインキをインキツボローラに供給し、このインキツボローラの回転によって供給されたインキを刷版へ供給し、この刷版に供給されたインキを印刷用紙に印刷する印刷機において、
前記インキツボキーの並設方向に沿ってその絵柄面積率がなだらかに変化する絵柄を備えた試験用刷版を用いて印刷物を印刷し、
この印刷物の前記各インキツボキーに対応する各エリアの濃度を測定し、
この測定した各エリアの濃度値と予め記憶されている基準濃度値との差に基づいてその差がほゞ零となるような前記各インキツボキーの開き量および前記インキツボローラの回転量を求め、
この求めた各インキツボキーの開き量およびインキツボローラの回転量を記憶し、
この記憶した各インキツボキーの開き量およびインキツボローラの回転量を基に以降の印刷における各インキツボキーの開き量およびインキツボローラの回転量の設定を行う
ようにしたことを特徴とする印刷機のインキ供給量調整方法。
【請求項８】  インキツボキーを複数備え、これらインキツボキーとインキツボローラとの間よりインキツボ内のインキをインキツボローラに供給し、このインキツボローラの回転によって供給されたインキを刷版へ供給し、この刷版に供給されたインキを印刷用紙に印刷する印刷機において、
前記インキツボキーの並設方向に沿ってその絵柄面積率がなだらかに変化する絵柄を備えた試験用刷版を用いて印刷された印刷物の前記各インキツボキーに対応する各エリアの濃度を測定する濃度測定手段と、
この濃度測定手段によって測定された各エリアの濃度値と予め記憶されている基準濃度値との差に基づいてその差がほゞ零となるような前記各インキツボキーの開き量および前記インキツボローラの回転量を求める手段と、
この手段によって求められた各インキツボキーの開き量およびインキツボローラの回転量を記憶する記憶手段と、
この記憶された各インキツボキーの開き量およびインキツボローラの回転量を基に以降の印刷における各インキツボキーの開き量およびインキツボローラの回転量の設定を行う設定手段とを備えたことを特徴とする印刷機のインキ供給量調整装置。